【手続補正書】
【提出日】平成23年10月20日(2011.10.20)
【手続補正１】
【補正対象書類名】明細書
【補正対象項目名】００７９
【補正方法】変更
【補正の内容】
【００７９】
この出願は、次のコンセプトを開示している。
コンセプト１
医薬品を保持するように構成された少なくとも一つのセキュラブル（ｓｅｃｕｒａｂｌｅ）・コンパートメントを含むポータブル医薬品トート（ｔｏｔｅ）と、
アクセス情報に応答して、患者用の医薬品を置くことが認証された前記少なくとも一つのセキュラブル・コンパートメントにその患者を割り当て、ユーザーが前記少なくとも一つのセキュラブル・コンパートメントへのアクセス権を有することを前記アクセス情報が表示したとき、前記少なくとも一つのセキュラブル・コンパートメント内の前記患者用の医薬品へのユーザーのアクセスを選択的に許可し、
ユーザーが前記少なくとも一つのセキュラブル・コンパートメントへのアクセス権を有しないと前記アクセス情報が表示したとき、前記少なくとも一つのセキュラブル・コンパートメント内の前記患者用の医薬品を検索するためのアクセスを制限するように構成されたコントローラと、
前記少なくとも一つのセキュラブル・コンパートメントへのアクセスに関する利用情報を出力するように構成された情報出力モジュールとを備える、ポータブル医薬品投与システム。
コンセプト２
前記利用情報を情報記憶デバイスに送信するように構成された通信モジュールをさらに備える、コンセプト１に記載のシステム。
コンセプト３
情報記憶デバイスと通信するように構成された通信モジュールをさらに備える、コンセプト１に記載のシステム。
コンセプト４
利用情報を記憶するように構成された情報記憶デバイスをさらに備える、コンセプト１に記載のシステム。
コンセプト５
前記利用情報は、時間値、通信のステータス、ユーザーの識別、患者の識別、情報記憶デバイスの識別、医薬品のデータ、現在のステータス、利用履歴、または設定のうちの少なくとも一つを含む、コンセプト１に記載のシステム。
コンセプト６
前記情報出力モジュールは、さらに、前記ポータブル医薬品トートの位置に関する情報を提供するように構成された、コンセプト１に記載のシステム。
コンセプト７
入力デバイスをさらに備える、コンセプト１に記載のシステム。
コンセプト８
前記入力デバイスは、バーコード・リーダー、キーボード、タッチスクリーン・ディスプレイ、マウス、マイク、磁気カード・リーダー、バイオメトリック（ｂｉｏｍｅｔｒｉｃ）・リーダーセンサ、近接リーダー、無線周波数識別リーダー、またはシンボロジー（ｓｙｍｂｏｌｏｇｙ）・リーダーのうちの少なくとも一つを備える、コンセプト７に記載のシステム。
コンセプト９
出力デバイスをさらに備える、コンセプト１に記載のシステム。
コンセプト１０
前記出力デバイスは、オーディオ・スピーカー、発光ダイオード、ブラウン管ディスプレイ、真空蛍光ディスプレイ、発光ダイオード・ディスプレイ、プラズマ・ディスプレイパネル、液晶ディスプレイ、有機発光ダイオード、または表面伝導型電子放出ディスプレイのうちの少なくとも一つを含む、コンセプト９に記載のシステム。
コンセプト１１
前記出力ディスプレイは、前記コントローラおよび前記情報出力モジュールのうちの少なくとも一つのステータスを表示するように構成された、コンセプト９に記載のシステム。
コンセプト１２
前記少なくとも一つのセキュラブル・コンパートメントは、開位置と閉位置との間を移動可能に構成された頂部を有する容器と、
前記頂部に結合して、前記コントローラによって作動されるように構成されたラッチとを備え、
前記少なくとも一つのセキュラブル・コンパートメント内の前記患者用の医薬品へのユーザーのアクセスの選択的な許可は、ユーザーが前記少なくとも一つのセキュラブル・コンパートメントへのアクセス権を有することを前記アクセス情報が表示したとき、前記コントローラが前記ラッチを作動させることにより前記頂部を開けることを含む、コンセプト１に記載のシステム。
コンセプト１３
患者用の医薬品を保管するように構成されたポータブル医薬品トート内の少なくとも一つのセキュラブル・コンパートメントに一人の患者を割り当てるステップと、
前記少なくとも一つのセキュラブル・コンパートメント内に前記患者用の医薬品を保管するためのアクセス権をユーザーが有するとアクセス情報が表示したとき、前記少なくとも一つのセキュラブル・コンパートメント内に前記患者用の医薬品を保管するためのユーザーのアクセスを選択的に許可するステップと、
ベッドサイドでの前記ユーザーの識別およびベッドサイドでの前記患者の識別と前記アクセス情報とを比較し、前記少なくとも一つのセキュラブル・コンパートメント内の前記患者用の医薬品を、前記患者に投与するためのアクセス権を前記ユーザーが有するかどうかを判断するステップと、
前記判断に基づき、前記少なくとも一つのセキュラブル・コンパートメント内の前記患者用の医薬品を前記患者に投与するための前記ユーザーのアクセスを選択的に許可するステップと、
前記少なくとも一つのセキュラブル・コンパートメントに関して行われた前記割り当て、アクセス、および前記判断のうちの少なくとも一つについてのユーザーのアクセスに関する利用情報を出力するステップとを含む、患者に処方された医薬品を投与するための方法。
コンセプト１４
前記少なくとも一つのセキュラブル・コンパートメント内に前記患者用の医薬品を保管するためのアクセス権を前記ユーザーが有しないと前記アクセス情報が表示したとき、前記少なくとも一つのセキュラブル・コンパートメント内の前記患者用の医薬品を保管するためのユーザーのアクセスを制限するステップをさらに含む、コンセプト１３に記載の方法。
コンセプト１５
前記ユーザーが前記少なくとも一つのセキュラブル・コンパートメント内の前記患者用の医薬品を、前記患者に投与するためのアクセス権を有しないと前記アクセス情報が表示したとき、前記少なくとも一つのセキュラブル・コンパートメント内の前記患者用の医薬品を投与するためのユーザーのアクセスを制限するステップをさらに含む、コンセプト１３に記載の方法。
コンセプト１６
情報記憶デバイス内に前記出力された利用情報を記憶するステップをさらに含む、コンセプト１３に記載の方法。
コンセプト１７
前記少なくとも一つのセキュラブル・コンパートメントに前記患者を割り当てる前に、前記患者用の医薬品を保管する医薬品保管デバイスへ、前記ポータブル医薬品トートをドッキングするステップをさらに含む、コンセプト１３に記載の方法。
コンセプト１８
前記識別情報は、バーコード、磁気ストリップ、または無線周波数識別を含む、コンセプト１３に記載の方法。
コンセプト１９
患者用の医薬品を保管するように構成されたポータブル医薬品トート内の少なくとも一つのセキュラブル・コンパートメントに一人の患者を割り当てるステップと、
前記少なくとも一つのセキュラブル・コンパートメント内に前記患者用の医薬品を保管するためのアクセス権をユーザーが有するとアクセス情報が表示したとき、前記少なくとも一つのセキュラブル・コンパートメント内に前記患者用の医薬品を保管するためのユーザーのアクセスを選択的に許可するステップと、
ベッドサイドでの前記ユーザーの識別およびベッドサイドでの前記患者の識別と前記アクセス情報とを比較し、前記少なくとも一つのセキュラブル・コンパートメント内の前記患者用の医薬品を、前記患者に投与するためのアクセス権を前記ユーザーが有するかどうかを判断するステップと、
前記判断に基づき、前記少なくとも一つのセキュラブル・コンパートメント内の前記患者用の医薬品を前記患者に投与するための前記ユーザーのアクセスを選択的に許可するステップと、
前記少なくとも一つのセキュラブル・コンパートメントに関して行われた前記割り当て、アクセス、および／または前記判断のうちの少なくとも一つについてのユーザーのアクセスに関する利用情報を出力するステップとを実行することにより、プロセッサに命令を実行させてポータブル医薬品投与システムを制御するためのコンピュータ実行可能命令を有するコンピュータ読取可能媒体。
コンセプト２０
情報記憶デバイス内に前記出力された利用情報を記憶するステップを実行するための、コンピュータ実行可能命令をさらに有する、コンセプト１９に記載のコンピュータ読取可能媒体。
コンセプト２１
アイテムを保持するように構成された少なくとも一つのセキュラブル・コンパートメントを含むポータブル・アイテム・トートと、
アクセス情報に応答して、譲受人用のアイテムの保持が認証された前記少なくとも一つのセキュラブル・コンパートメントにその譲受人を割り当て、
ユーザーが前記少なくとも一つのセキュラブル・コンパートメントへのアクセス権を有することを前記アクセス情報が表示したとき、前記少なくとも一つのセキュラブル・コンパートメント内の前記譲受人用のアイテムへのユーザーのアクセスを選択的に許可し、
ユーザーが前記少なくとも一つのセキュラブル・コンパートメントへのアクセス権を有しないと前記アクセス情報が表示したとき、前記少なくとも一つのセキュラブル・コンパートメント内の前記譲受人用のアイテムを検索するためのアクセスを制限するように構成されたコントローラと、
前記少なくとも一つのセキュラブル・コンパートメントへのアクセスに関する利用情報を出力するように構成された情報出力モジュールとを備える、ポータブル分配システム。
以上で、本発明のいくつかの特徴および実施形態について説明したが、これらは例示にすぎず、本発明の範囲を限定することを意図したものではない。実際、本明細書に記載した新規な方法およびシステムは、本発明の趣旨から逸脱することなく、種々の他の形態で実施できる。添付した特許請求の範囲およびその均等物が、本発明の範囲および趣旨に入るそのような形態または変形例もカバーすることを意図している。
【手続補正２】
【補正対象書類名】特許請求の範囲
【補正対象項目名】全文
【補正方法】変更
【補正の内容】
【特許請求の範囲】
【請求項１】
医薬品を保持するように構成された少なくとも一つのセキュラブル（ｓｅｃｕｒａｂｌｅ）・コンパートメントを含むポータブル医薬品トート（ｔｏｔｅ）と、
アクセス情報に応答して、患者用の医薬品を置くことが認証された前記少なくとも一つのセキュラブル・コンパートメントにその患者を割り当て、ユーザーが前記少なくとも一つのセキュラブル・コンパートメントへのアクセス権を有することを前記アクセス情報が表示したとき、前記少なくとも一つのセキュラブル・コンパートメント内の前記患者用の医薬品へのユーザーのアクセスを選択的に許可し、
ユーザーが前記少なくとも一つのセキュラブル・コンパートメントへのアクセス権を有しないと前記アクセス情報が表示したとき、前記少なくとも一つのセキュラブル・コンパートメント内の前記患者用の医薬品を検索するためのアクセスを制限するように構成されたコントローラと、
前記少なくとも一つのセキュラブル・コンパートメントへのアクセスに関する利用情報を出力するように構成された情報出力モジュールとを備える、ポータブル医薬品投与システム。
【請求項２】
前記利用情報を情報記憶デバイスに送信するように構成された通信モジュールをさらに備える、請求項１に記載のシステム。
【請求項３】
情報記憶デバイスと通信するように構成された通信モジュールをさらに備える、請求項１に記載のシステム。
【請求項４】
利用情報を記憶するように構成された情報記憶デバイスをさらに備える、請求項１に記載のシステム。
【請求項５】
前記利用情報は、時間値、通信のステータス、ユーザーの識別、患者の識別、情報記憶デバイスの識別、医薬品のデータ、現在のステータス、利用履歴、または設定のうちの少なくとも一つを含む、請求項１に記載のシステム。
【請求項６】
前記情報出力モジュールは、さらに、前記ポータブル医薬品トートの位置に関する情報を提供するように構成された、請求項１に記載のシステム。
【請求項７】
入力デバイスをさらに備える、請求項１に記載のシステム。
【請求項８】
前記入力デバイスは、バーコード・リーダー、キーボード、タッチスクリーン・ディスプレイ、マウス、マイク、磁気カード・リーダー、バイオメトリック（ｂｉｏｍｅｔｒｉｃ）・リーダーセンサ、近接リーダー、無線周波数識別リーダー、またはシンボロジー（ｓｙｍｂｏｌｏｇｙ）・リーダーのうちの少なくとも一つを備える、請求項７に記載のシステム。
【請求項９】
出力デバイスをさらに備える、請求項１に記載のシステム。
【請求項１０】
前記出力デバイスは、オーディオ・スピーカー、発光ダイオード、ブラウン管ディスプレイ、真空蛍光ディスプレイ、発光ダイオード・ディスプレイ、プラズマ・ディスプレイパネル、液晶ディスプレイ、有機発光ダイオード、または表面伝導型電子放出ディスプレイのうちの少なくとも一つを含む、請求項９に記載のシステム。
【請求項１１】
前記出力ディスプレイは、前記コントローラおよび前記情報出力モジュールのうちの少なくとも一つのステータスを表示するように構成された、請求項９に記載のシステム。
【請求項１２】
前記少なくとも一つのセキュラブル・コンパートメントは、開位置と閉位置との間を移動可能に構成された頂部を有する容器と、
前記頂部に結合して、前記コントローラによって作動されるように構成されたラッチとを備え、
前記少なくとも一つのセキュラブル・コンパートメント内の前記患者用の医薬品へのユーザーのアクセスの選択的な許可は、ユーザーが前記少なくとも一つのセキュラブル・コンパートメントへのアクセス権を有することを前記アクセス情報が表示したとき、前記コントローラが前記ラッチを作動させることにより前記頂部を開けることを含む、請求項１に記載のシステム。
【請求項１３】
患者用の医薬品を保管するように構成されたポータブル医薬品トート内の少なくとも一つのセキュラブル・コンパートメントに一人の患者を割り当てるステップと、
前記少なくとも一つのセキュラブル・コンパートメント内に前記患者用の医薬品を保管するためのアクセス権をユーザーが有するとアクセス情報が表示したとき、前記少なくとも一つのセキュラブル・コンパートメント内に前記患者用の医薬品を保管するためのユーザーのアクセスを選択的に許可するステップと、
ベッドサイドでの前記ユーザーの識別およびベッドサイドでの前記患者の識別と前記アクセス情報とを比較し、前記少なくとも一つのセキュラブル・コンパートメント内の前記患者用の医薬品を、前記患者に投与するためのアクセス権を前記ユーザーが有するかどうかを判断するステップと、
前記判断に基づき、前記少なくとも一つのセキュラブル・コンパートメント内の前記患者用の医薬品を前記患者に投与するための前記ユーザーのアクセスを選択的に許可するステップと、
前記割り当てのうちの少なくとも一つについてのユーザーのアクセスに関する利用情報、アクセス、および前記少なくとも一つのセキュラブル・コンパートメントに関して行われた前記判断を出力するステップとを含む、患者に処方された医薬品を投与するための方法。
【請求項１４】
前記少なくとも一つのセキュラブル・コンパートメント内に前記患者用の医薬品を保管するためのアクセス権を前記ユーザーが有しないと前記アクセス情報が表示したとき、前記少なくとも一つのセキュラブル・コンパートメント内の前記患者用の医薬品を保管するためのユーザーのアクセスを制限するステップをさらに含む、請求項１３に記載の方法。
【請求項１５】
前記ユーザーが前記少なくとも一つのセキュラブル・コンパートメント内の前記患者用の医薬品を、前記患者に投与するためのアクセス権を有しないと前記アクセス情報が表示したとき、前記少なくとも一つのセキュラブル・コンパートメント内の前記患者用の医薬品を投与するためのユーザーのアクセスを制限するステップをさらに含む、請求項１３に記載の方法。
【請求項１６】
情報記憶デバイス内に前記出力された利用情報を記憶するステップをさらに含む、請求項１３に記載の方法。
【請求項１７】
前記少なくとも一つのセキュラブル・コンパートメントに前記患者を割り当てる前に、前記患者用の医薬品を保管する医薬品保管デバイスへ、前記ポータブル医薬品トートをドッキングするステップをさらに含む、請求項１３に記載の方法。
【請求項１８】
前記識別情報は、バーコード、磁気ストリップ、または無線周波数識別を含む、請求項１３に記載の方法。
【請求項１９】
患者用の医薬品を保管するように構成されたポータブル医薬品トート内の少なくとも一つのセキュラブル・コンパートメントに一人の患者を割り当てるステップと、
前記少なくとも一つのセキュラブル・コンパートメント内に前記患者用の医薬品を保管するためのアクセス権をユーザーが有するとアクセス情報が表示したとき、前記少なくとも一つのセキュラブル・コンパートメント内に前記患者用の医薬品を保管するためのユーザーのアクセスを選択的に許可するステップと、
ベッドサイドでの前記ユーザーの識別およびベッドサイドでの前記患者の識別と前記アクセス情報とを比較し、前記少なくとも一つのセキュラブル・コンパートメント内の前記患者用の医薬品を、前記患者に投与するためのアクセス権を前記ユーザーが有するかどうかを判断するステップと、
前記判断に基づき、前記少なくとも一つのセキュラブル・コンパートメント内の前記患者用の医薬品を前記患者に投与するための前記ユーザーのアクセスを選択的に許可するステップと、
前記割り当てのうちの少なくとも一つについてのユーザーのアクセスに関する利用情報、アクセス、および／または前記少なくとも一つのセキュラブル・コンパートメントに関して行われた前記判断を出力するステップとを実行することにより、プロセッサに命令を実行させてポータブル医薬品投与システムを制御するためのコンピュータ実行可能命令を有するコンピュータ読取可能媒体。
【請求項２０】
情報記憶デバイス内に前記出力された利用情報を記憶するステップを実行するための、コンピュータ実行可能命令をさらに有する、請求項１９に記載のコンピュータ読取可能媒体。
【請求項２１】
アイテムを保持するように構成された少なくとも一つのセキュラブル・コンパートメントを含むポータブル・アイテム・トートと、
アクセス情報に応答して、譲受人用のアイテムの保持が認証された前記少なくとも一つのセキュラブル・コンパートメントにその譲受人を割り当て、
ユーザーが前記少なくとも一つのセキュラブル・コンパートメントへのアクセス権を有することを前記アクセス情報が表示したとき、前記少なくとも一つのセキュラブル・コンパートメント内の前記譲受人用のアイテムへのユーザーのアクセスを選択的に許可し、
ユーザーが前記少なくとも一つのセキュラブル・コンパートメントへのアクセス権を有しないと前記アクセス情報が表示したとき、前記少なくとも一つのセキュラブル・コンパートメント内の前記譲受人用のアイテムを検索するためのアクセスを制限するように構成されたコントローラと、
前記少なくとも一つのセキュラブル・コンパートメントへのアクセスに関する利用情報を出力するように構成された情報出力モジュールとを備える、ポータブル分配システム。
【請求項２２】
各々が医薬品を保持するように構成された複数のセキュラブル・コンパートメントを備え、ユーザによって運ばれるように構成されたポータブル医薬品トートと、
患者の識別情報とユーザの識別情報の少なくとも一つを含むアクセス情報に応答して、患者用の医薬品を置くことが認証された前記複数のセキュラブル・コンパートメントの少なくとも一つにその患者を割り当て、
前記少なくとも一つのセキュラブル・コンパートメントへのアクセス権を前記ユーザーが有することを前記アクセス情報が表示したとき、前記少なくとも一つのセキュラブル・コンパートメント内の前記患者用の医薬品への前記ユーザーのアクセスを選択的に許可し、
前記少なくとも一つのセキュラブル・コンパートメントへのアクセス権を前記ユーザーが有しないと前記アクセス情報が表示したとき、前記少なくとも一つのセキュラブル・コンパートメント内の前記患者用の医薬品を検索するためのアクセスを制限するように構成されたコントローラと、
前記少なくとも一つのセキュラブル・コンパートメントへのアクセスに関する利用情報を出力するように構成された情報出力モジュールとを備える、ポータブル医薬品投与システム。
【請求項２３】
ユーザによって運ばれるように構成されコントローラを備えるポータブル医薬品トート内の、患者用の医薬品を保管するように構成された複数のセキュラブル・コンパートメントの少なくとも一つに一人の患者を割り当てるステップと、
前記少なくとも一つのセキュラブル・コンパートメントへの保管アクセス権を前記ユーザーが有するとアクセス情報が表示したとき、前記少なくとも一つのセキュラブル・コンパートメント内に前記患者用の医薬品を保管するための前記ユーザーのアクセスを、コントローラが選択的に許可するステップと、
ベッドサイドでの前記ユーザーの識別およびベッドサイドでの前記患者の識別と前記アクセス情報とを比較し、前記少なくとも一つのセキュラブル・コンパートメント内の前記患者用の医薬品を、前記患者に投与するためのアクセス権を前記ユーザーが有するかどうかを判断するステップと、
前記判断に基づき、前記少なくとも一つのセキュラブル・コンパートメント内の前記患者用の医薬品を前記患者に投与するための前記ユーザーのアクセスを、コントローラが選択的に許可するステップと、
前記少なくとも一つのセキュラブル・コンパートメントへの保管アクセス権を前記ユーザーが有しないと前記アクセス情報が表示したとき、前記少なくとも一つのセキュラブル・コンパートメント内に前記患者用の医薬品を保管するための前記ユーザーのアクセスを、コントローラが制限するステップと、
前記少なくとも一つのセキュラブル・コンパートメントに関して行われた前記割り当て、アクセス、および前記判断のうちの少なくとも一つについての前記ユーザーのアクセスに関する利用情報を出力するステップとを含む、患者に処方された医薬品を投与するための方法であって、
前記アクセス情報は、患者の識別情報とユーザの識別情報の少なくとも一つを含む患者に処方された医薬品を投与するための方法。
【請求項２４】
ユーザによって運ばれるように構成されコントローラを備えるポータブル医薬品トート内の、患者用の医薬品を保管するように構成された複数のセキュラブル・コンパートメントの少なくとも一つに一人の患者を割り当てるステップと、
前記少なくとも一つのセキュラブル・コンパートメントへの保管アクセス権を前記ユーザーが有するとアクセス情報が表示したとき、前記少なくとも一つのセキュラブル・コンパートメント内に前記患者用の医薬品を保管するための前記ユーザーのアクセスを、コントローラが選択的に許可するステップと、
前記少なくとも一つのセキュラブル・コンパートメントへの保管アクセス権を前記ユーザーが有しないと前記アクセス情報が表示したとき、前記少なくとも一つのセキュラブル・コンパートメント内に前記患者用の医薬品を保管するための前記ユーザーのアクセスを、コントローラが制限するステップと、
ベッドサイドでの前記ユーザーの識別およびベッドサイドでの前記患者の識別と前記アクセス情報とを比較し、前記少なくとも一つのセキュラブル・コンパートメント内の前記患者用の医薬品を、前記患者に投与するためのアクセス権を前記ユーザーが有するかどうかを判断するステップと、
前記判断に基づき、前記少なくとも一つのセキュラブル・コンパートメント内の前記患者用の医薬品を前記患者に投与するための前記ユーザーのアクセスを、コントローラが選択的に許可するステップと、
前記少なくとも一つのセキュラブル・コンパートメントに関して行われた前記割り当て、アクセス、および／または前記判断についての前記ユーザーのアクセスに関する利用情報を出力するステップとを実行することにより、プロセッサに命令を実行させてポータブル医薬品投与システムを制御するためのコンピュータ実行可能命令を有するコンピュータ読取可能媒体であって、
前記アクセス情報は、患者の識別情報とユーザの識別情報の少なくとも一つを含むコンピュータ実行可能命令を有するコンピュータ読取可能媒体。
【請求項２５】
各々がアイテムを保持するように構成された複数のセキュラブル・コンパートメントを備え、ユーザによって運ばれるように構成されたポータブル・アイテム・トートと、
患者の識別情報とユーザの識別情報の少なくとも一つを含むアクセス情報に応答して、譲受人用のアイテムを置くことが認証された前記複数のセキュラブル・コンパートメントの少なくとも一つにその譲受人を割り当て、
前記少なくとも一つのセキュラブル・コンパートメントへのアクセス権を前記ユーザーが有することを前記アクセス情報が表示したとき、前記少なくとも一つのセキュラブル・コンパートメント内の前記譲受人用のアイテムへの前記ユーザーのアクセスを選択的に許可し、
前記少なくとも一つのセキュラブル・コンパートメントへのアクセス権を前記ユーザーが有しないと前記アクセス情報が表示したとき、前記少なくとも一つのセキュラブル・コンパートメント内の前記譲受人用のアイテムを検索するためのアクセスを制限するように構成されたコントローラと、
前記少なくとも一つのセキュラブル・コンパートメントへのアクセスに関する利用情報を出力するように構成された情報出力モジュールとを備える、ポータブル分配システム。
【請求項２６】
アイテムを保持するように構成された少なくとも一つのセキュラブル・コンパートメントを含むポータブル・アイテム運搬投与システムと、
アクセス情報に応答して、前記少なくとも一つのセキュラブル・コンパートメントへの保管アクセス権をユーザーが有するとアクセス情報が表示したとき、前記少なくとも一つのセキュラブル・コンパートメント内に譲受人用のアイテムを保管するための前記ユーザーのアクセスを選択的に許可し、前記少なくとも一つのセキュラブル・コンパートメントへの保管アクセス権を前記ユーザーが有しないと前記アクセス情報が表示したとき、前記少なくとも一つのセキュラブル・コンパートメント内に前記譲受人用のアイテムを保管するためのユーザーのアクセスを制限するために、前記少なくとも一つのセキュラブル・コンパートメントにその譲受人を割り当て、
前記ユーザーの識別および前記譲受人の識別と前記アクセス情報とを比較し、前記少なくとも一つのセキュラブル・コンパートメント内の前記譲受人用のアイテムを、前記譲受人に投与するためのアクセス権を前記ユーザーが有するかどうかを判断し、
前記少なくとも一つのセキュラブル・コンパートメントへのアクセス権を前記ユーザーが有することを前記アクセス情報が表示したとき、前記少なくとも一つのセキュラブル・コンパートメント内の前記譲受人用のアイテムへの前記ユーザーのアクセスを選択的に許可し、
前記少なくとも一つのセキュラブル・コンパートメントへのアクセス権を前記ユーザーが有しないと前記アクセス情報が表示したとき、前記少なくとも一つのセキュラブル・コンパートメント内の前記譲受人用のアイテムを検索するためのアクセスを制限するように構成されたコントローラと、
前記少なくとも一つのセキュラブル・コンパートメントへのアクセスに関する利用情報を出力するように構成された情報出力モジュールとを備える、投与システム。
【請求項２７】
ポータブル・アイテム運搬投与システム内の、患者用のアイテムを保管するように構成された少なくとも一つのセキュラブル・コンパートメントに一人の譲受人を割り当てるステップと、
前記少なくとも一つのセキュラブル・コンパートメントへの保管アクセス権をユーザーが有するとアクセス情報が表示したとき、前記少なくとも一つのセキュラブル・コンパートメント内に前記譲受人用のアイテムを保管するための前記ユーザーのアクセスを選択的に許可するステップと、
前記少なくとも一つのセキュラブル・コンパートメントへの保管アクセス権を前記ユーザーが有しないと前記アクセス情報が表示したとき、前記少なくとも一つのセキュラブル・コンパートメント内に前記譲受人用のアイテムを保管するための前記ユーザーのアクセスを制限するステップと、
前記ユーザーの識別および前記譲受人の識別と前記アクセス情報とを比較し、前記少なくとも一つのセキュラブル・コンパートメント内の前記譲受人用のアイテムを、前記譲受人に投与するためのアクセス権を前記ユーザーが有するかどうかを判断するステップと、
前記判断に基づき、前記少なくとも一つのセキュラブル・コンパートメント内の前記譲受人用のアイテムを前記譲受人に投与するための前記ユーザーのアクセスを選択的に許可するステップと、
前記少なくとも一つのセキュラブル・コンパートメント内の前記譲受人用のアイテムを、前記患者に投与するためのアクセス権を前記ユーザーが有しないと前記アクセス情報が表示したとき、前記少なくとも一つのセキュラブル・コンパートメント内の前記譲受人用のアイテムを投与するための前記ユーザーのアクセスを制限するステップと、
前記少なくとも一つのセキュラブル・コンパートメントに関して行われた前記割り当て、アクセス、および前記判断のうちの少なくとも一つについての前記ユーザーのアクセスに関する利用情報を出力するステップとを含む、譲受人に処方されたアイテムを投与するための方法。
【請求項２８】
前記アイテムは医薬品であり、前記譲受人は患者である請求項２７に記載の方法。
【請求項２９】
請求項２７または２８に記載の方法のステップを実行することによって、プロセッサに命令を実行させてポータブル医薬品投与システムを制御するためのコンピュータ実行可能命令を有するコンピュータ読取可能媒体。